(57)【要約】  【課題】  所望の位置で使用できる映像表示装置と、映像表示装置を所望の場所に移動できる基台と、それらを備えた映像表示システムとを提供することである。  【解決手段】  映像を表示する映像表示装置と、該映像表示装置を載置する基台１０とを備えた映像表示システムにおいて、基台１０は、基台面上で回動可能な回動部１３と、回動部１３上に設けられ、前記映像表示装置を支持するとともに前記映像表示装置に電源を供給する支持部と、回動部１３を回動可能に支持する回動部受け部１２と、回動部受け部１２を基台面上でスライドさせるレール部１１とを有し、前記映像表示装置は、前記支持部に支持され、前記支持部から電源の供給を受ける映像表示装置台を有する構成とする。【選択図】      図１
2006337517.tif 000002
【特許請求の範囲】
【請求項１】
映像を表示する映像表示装置と、該映像表示装置を載置する基台とを備えた映像表示システムにおいて、
前記基台は、基台面上で回動可能な回動部と、該回動部上に設けられ、前記映像表示装置を支持するとともに前記映像表示装置に電源を供給する支持部とを有し、
前記映像表示装置は、前記支持部に支持され、前記支持部から電源の供給を受ける映像表示装置台を有することを特徴とする映像表示システム。
【請求項２】
前記映像表示装置台が前記支持部に着脱可能であることを特徴とする請求項１記載の映像表示システム。
【請求項３】
前記映像表示装置台が前記支持部に着脱されたこと示すランプを設けること特徴とする請求項２記載の映像表示システム。
【請求項４】
前記回動部は、前記基台と回動可能で一時固定を可能とする球状のベアリングを有することを特徴とする請求項１〜３の何れかに記載の映像表示システム。
【請求項５】
前記支持部は、前記映像表示装置へ電源を供給する電極であって、且つ前記映像表示装置台に嵌合して固定する突起部を有し、
前記映像表示装置台は、前記突起部から電源の供給を受ける電極であって、且つ前記突起部に嵌合する凹部を有することを特徴とする請求項１〜４の何れかに記載の映像表示システム。
【請求項６】
前記突起部が、前記支持部に格納可能であることを特徴とする請求項５記載の映像表示システム。
【請求項７】
前記突起部を前記支持部に格納した状態で固定するストッパー爪を前記支持部に設けることを特徴とする請求項６記載の映像表示システム。
【請求項８】
前記基台は、前記回動部を回動可能に支持する回動部受け部と、該回動部受け部を基台面上でスライドさせるレール部とを有することを特徴とする請求項１〜７の何れかに記載の映像表示システム。
【請求項９】
前記レール部に、前記回動部受け部の位置規制と案内とをするガイドを設けることを特徴とする請求項８記載の映像表示システム。
【請求項１０】
前記回動部受け部と前記レール部との接触部分における前記回動部受け部側と前記レール部側とにそれぞれ電極部を設け、該電極部を通じて前記映像表示装置へ電源を供給することを特徴とする請求項１〜９の何れかに記載の映像表示システム。
【請求項１１】
前記レール部に、前記回動部受け部側の電極部を遮蔽する絶縁カバーを設けることを特徴とする請求項１０記載の映像表示システム。
【請求項１２】
前記映像表示装置が、充電可能なバッテリーを備えることを特徴とする請求項１〜１１の何れかに記載の映像表示システム。
【請求項１３】
前記映像表示装置にヒンジ部を設け、前記映像表示装置が前記基台に格納可能であることを特徴とする請求項１〜１２の何れかに記載の映像表示システム。
【請求項１４】
前記基台に格納可能されるポップアップタイプのキーボードを備えることを特徴とする請求項１〜１３の何れかに記載の映像表示システム。
【請求項１５】
基台に載置される映像表示装置において、
前記基台の支持部に支持され、該支持部から電源の供給を受ける映像表示装置台を有することを特徴とする映像表示装置。
【請求項１６】
前記映像表示装置台が前記支持部に着脱可能であることを特徴とする請求項１５記載の映像表示装置。
【請求項１７】
前記映像表示装置台が前記支持部に着脱されたこと示すランプを設けること特徴とする請求項１６記載の映像表示装置。
【請求項１８】
前記映像表示装置台は、前記支持部から電源の供給を受ける電極であって、且つ前記支持部に嵌合する凹部を有することを特徴とする請求項１５〜１７の何れかに記載の映像表示装置。
【請求項１９】
充電可能なバッテリーを備えることを特徴とする請求項１５〜１８の何れかに記載の映像表示装置。
【請求項２０】
ヒンジ部を設け、前記基台に格納可能であることを特徴とする請求項１５〜１９の何れかに記載の映像表示装置。
【請求項２１】
映像表示装置を載置する基台において、
本基台面上で回動可能な回動部と、該回動部上に設けられ、前記映像表示装置を支持するとともに前記映像表示装置に電源を供給する支持部とを有することを特徴とする基台。
【請求項２２】
前記支持部が前記映像表示装置に着脱可能であることを特徴とする請求項２１記載の基台。
【請求項２３】
前記支持部が前記映像表示装置に着脱されたこと示すランプを設けること特徴とする請求項２２記載の基台。
【請求項２４】
前記回動部は、本基台と回動可能で一時固定を可能とする球状のベアリングを有することを特徴とする請求項２１〜２３の何れかに記載の基台。
【請求項２５】
前記支持部は、前記映像表示装置へ電源を供給する電極であって、且つ前記映像表示装置に嵌合して固定する突起部を有することを特徴とする請求項２１〜２４の何れかに記載の基台。
【請求項２６】
前記突起部が、前記支持部に格納可能であることを特徴とする請求項２５記載の基台。
【請求項２７】
前記突起部を前記支持部に格納した状態で固定するストッパー爪を前記支持部に設けることを特徴とする請求項２６記載の基台。
【請求項２８】
前記基台は、前記回動部を回動可能に支持する回動部受け部と、該回動部受け部を本基台面上でスライドさせるレール部とを有することを特徴とする請求項２１〜２７の何れかに記載の基台。
【請求項２９】
前記レール部に、前記回動部受け部の位置規制と案内とをするガイドを設けることを特徴とする請求項２８記載の基台。
【請求項３０】
前記回動部受け部と前記レール部との接触部分における前記回動部受け部側と前記レール部側とにそれぞれ電極部を設け、該電極部を通じて前記映像表示装置へ電源を供給することを特徴とする請求項２１〜２９の何れかに記載の基台。
【請求項３１】
前記レール部に、前記回動部受け部側の電極部を遮蔽する絶縁カバーを設けることを特徴とする請求項３０記載の基台。
【発明の詳細な説明】
【技術分野】
【０００１】
本発明は、映像を表示する映像表示装置と、該映像表示装置を載置する基台と、それらを備えた映像表示システムに関するものである。
【背景技術】
【０００２】
図１１に、基台上に設置された従来のデスクトップ型のパーソナルコンピュータ（以下ＰＣと記す）の斜視図を示す。ＰＣは、本体１００と、キーボード１０１と、マウス１０２と、液晶モニター等からなる映像表示装置１０３とから構成されている。電源コード１０４、１０５は、本体１００と映像表示装置１０３にそれぞれ設けられ、それぞれをコンセント１０６に差し込むようになっている。
【０００３】
ところで、特許文献１には、２個の画面を有するとともに、基礎部と基礎部上に取り付けられる１対の電子ディスプレイと、電子ディスプレイ画面を旋回可能に取り付けて互いの方向に旋回させて眺めやすくする手段とからなるディスプレイシステムが開示されている。
【特許文献１】特表２００２−５３３７７７号公報
【発明の開示】
【発明が解決しようとする課題】
【０００４】
しかしながら、図１１に示したように、映像表示装置１０３からは電源コード１０５が延びているため、映像表示装置１０３の向きを変えたり、移動させたりするには限度があり、着座位置によってはＰＣを最も使用しやすい位置に移動させることができない場合がある。また、ＰＣは基台１０７上で大きな場所を取るので、ＰＣ以外の作業をする場所がなく、使い勝手が悪い。
【０００５】
一方、特許文献１には、画面旋回時の電源コードの取り扱いに関する記載はなく、電子ディスプレイ画面の収納に関する記載もない。
【０００６】
本発明は、使い勝手の良い映像表示装置とそれを載置する基台とそれらを備えた映像表示システムとを提供することを目的とする。詳しくは、所望の位置で使用できる映像表示装置と、映像表示装置を所望の位置に移動できる基台と、それらを備えた映像表示システムとを提供することである。
【課題を解決するための手段】
【０００７】
上記目的を達成するために本発明は、基台が、基台面上で回動可能な回動部と、該回動部上に設けられ、映像表示装置を支持するとともに前記映像表示装置に電源を供給する支持部とを有するものとする。また映像表示装置は、前記支持部に支持され、前記支持部から電源の供給を受ける映像表示装置台を有するものとする。
【０００８】
この構成によると、映像表示装置には基台を通じて電源が供給されるため、映像表示装置からコンセントに繋がる電源コードが不要となる。
【０００９】
上記の構成において、前記映像表示装置台が前記支持部に着脱可能とする。映像表示装置を使用しないときに基台から取り外せば、基台上を広く作業台や食卓テーブルとして使用することができる。
【００１０】
また上記の構成において、前記映像表示装置台が前記支持部に着脱されたこと示すランプを設けることが望ましい。これにより、映像表示装置と基台との接続を確実に容易に確認することができる。
【００１１】
また上記の構成において、前記回動部は、前記基台と回動可能で一時固定を可能とする球状のベアリングを有する構成とすることができる。これにより、ベアリングの数に対応した位置で映像表示装置を固定することができる。
【００１２】
また上記の構成において、前記支持部は、前記映像表示装置へ電源を供給する電極であって、且つ前記映像表示装置台に嵌合して固定する突起部を有するものとする。また前記映像表示装置台は、前記突起部から電源の供給を受ける電極であって、且つ前記突起部に嵌合する凹部を有するものとする。
【００１３】
この構成によると、映像表示装置は、電源の供給を受けるとともに、基台に固定される。また映像表示装置の基台への着脱が容易となる。
【００１４】
また上記の構成において、前記突起部が、前記支持部に格納可能であることが望ましい。この構成により、映像表示装置が載置されていない場合に、電極である突起部を支持部に格納し、安全性を確保することができる。
【００１５】
また上記の構成においては、例えば、前記突起部を前記支持部に格納した状態で固定するストッパー爪を前記支持部に設ける構成とすることができる。
【００１６】
また上記の構成において、前記基台は、前記回動部を回動可能に支持する回動部受け部と、該回動部受け部を基台面上でスライドさせるレール部とを有するものとする。
【００１７】
この構成によると、映像表示装置がレール部に沿って移動させられるので、所望の位置に移動させることができ、使い勝手が向上する。
【００１８】
また上記の構成において、前記レール部に、前記回動部受け部の位置規制と案内とをするガイドを設けることが望ましい。これにより、回動部受け部を円滑にスライドさせることができる。
【００１９】
また上記の構成において、前記回動部受け部と前記レール部との接触部分における前記回動部受け部側と前記レール部側とにそれぞれ電極部を設け、該電極部を通じて前記映像表示装置へ電源を供給するものとする。
【００２０】
この構成によると、回動部受け部をスライドさせた場合でも常に電極部を通じて映像表示装置へ電源を供給することができる。
【００２１】
また上記の構成において、前記レール部に、前記回動部受け部側の電極部を遮蔽する絶縁カバーを設けることが望ましい。これにより、安全性を確保することができる。
【００２２】
また上記の構成において、前記映像表示装置が、充電可能なバッテリーを備えるものとする。これにより、映像表示装置を基台から取り外して他の場所に移動させても、電源コードを繋ぐ必要がなく使い勝手がよい。
【００２３】
また上記の構成において、前記映像表示装置にヒンジ部を設け、前記映像表示装置が前記基台に格納可能とする。映像表示装置を使用していないときは基台に格納することにより、基台を作業台や食卓テーブルとして広く使うことができ、省スペース化が図れる。
【００２４】
また上記の構成において、前記基台に格納可能されるポップアップタイプのキーボードを備えるものとする。これにより、キーボードを使用しない場合は基台を作業台や食卓テーブルとして広く使うことができ、省スペース化が図れる。更に、使用時にはポップアップさせることにより、キータッチが容易になる。
【発明の効果】
【００２５】
本発明によれば、映像表示装置に繋がる電源コードが不要となるため、映像表示装置を所望の位置に向けることができ、使い勝手が向上する。
【発明を実施するための最良の形態】
【００２６】
以下、映像表示装置とそれを載置する基台とそれらを備えた映像表示システムについて説明する。
【００２７】
図１は、基台の概略斜視図である。基台１０は天板と脚とを有するテーブルである。基台１０の天板には、開口部１０ａが形成され、開口部１０ａの前後側面には、溝からなるレール部１１が設けられる。レール部１１には、円形の窪みを有した板状の回動部受け部１２が嵌め込まれ、回動部受け部１２はレール部１１に沿って基台面上をスライドさせることができる。回動部受け部１２には、回動可能な円形の回動部１３が設けられている。
【００２８】
図２は、回動部受け部１２の平面図、図３は、回動部１３の正面図である。図２に示すように、回動部受け部１２には回動部１３が遊嵌しており、回動部１３の外側面には球状のベアリング１４が等間隔で配設されている。ベアリング１４は回動部受け部１２の内側面に形成された窪みに嵌っている。回動部１３を回すことにより、ベアリング１４が隣の窪みへ移動するので、回動部１３が回動部受け部１２に回動可能で一時固定可能となっている。図２では３６個のベアリング１４が用いられているので、回動部１３を３６箇所で、つまり１０°毎に一時固定できる。
【００２９】
また、回動部１３の中央部には後述する映像表示装置３０を支持する支持部１５が形成されている。支持部１５は回動部１３と一体成形してもよい。支持部１５には、映像表示装置３０へ電源を供給する電極であって、且つ後述する映像表示装置台３１の凹部３３に嵌合して固定する２つの突起部１６が設けられている。
【００３０】
図４は、突起部１６の構造を説明する支持部１５の正面透過図である。突起部１６の下部にストッパー爪受けツバ１７が設けられ、ストッパー爪受けツバ１７はバネ１８に取り付けられている。突起部１６はモニター部が挿入されていない際は不要である為、下方向に押し込む事により、ストッパー爪１９にストッパー爪受けツバ１７が引っかかり、突起部１６が支持部１５に挿入された状態で固定される。この構成により、映像表示装置が載置されていない場合に、電極である突起部１６を支持部１５に格納することができる。このように、突起部１６を格納することで安全性を確保することができる。
【００３１】
図５は、回動部受け部１２のスライド構造を説明する図である。回動部１３が取り付けられた回動部受け部１２がレール部１１に嵌め込まれている。レール部１１は基台１０の天板と一体成形してもよい。レール部１１の上下内側面には、回動部受け部１２の位置規制と案内とをするガイド２１が形成されている。このガイド２１はレール部１１に沿った突条としたり、レール部１１に沿って所定の間隔で設けた突起とすることができる。なお、ガイド２１は少なくともレール部１１の上下内側面の一方に設ければよい。このように、ガイド２１を設けることで回動部受け部１２を円滑にスライドさせることができる。
【００３２】
また、回動部受け部１２とレール部１１との接触部分における回動部受け部１２側とレール部１１側とにそれぞれ電極部２２、２３が設けられている。電極部２３は回動部受け部１２がスライドした場合にも常に電極部２２と接触するようにレール部１１に沿って設けられている。これにより、回動部受け部１２をスライドさせた場合でも常に電極部２２、２３を通じて映像表示装置へ電源を供給することができる。
【００３３】
図６（ａ）はレール部１１の斜視図、図６（ｂ）はレール部１１の側面図、図６（ｃ）はレール部１１に回動部受け部１２を取り付けた場合の側面図である。レール部１１には、電極部２３を遮蔽する絶縁カバー２４が設けられている。絶縁カバー２４には、図６（ｂ）に示すように、切込み２４ａが入れられている。また、絶縁カバー２４は回動部受け部１２がスライドする部分には全て設けられている。切込み２４ａが設けられていることにより、回動部受け部１２があらゆる移動箇所に移動しても電極部２３が剥き出しになることを防いでいる。このように、電極部２３を遮蔽することで安全性を確保することができる。
【００３４】
図７は、映像表示装置３０の正面図である。映像表示装置３０は、支持部１５に支持され、支持部１５から電源の供給を受ける映像表示装置台３１と、画面等からなる映像表示部３２とを備えている。
【００３５】
映像表示装置台３１には、突起部１６から電源の供給を受ける電極であって、且つ突起部１６に嵌合する２つの凹部３３が形成されている。この凹部３３により、映像表示装置３０は、電源の供給を受けるとともに、基台１０に固定される。また映像表示装置３０の基台１０への着脱が容易となる。映像表示装置３０を使用しないときに基台１０から取り外せば、基台上を広く作業台や食卓テーブルとして使用することができる。
【００３６】
また映像表示装置台３１の正面には、映像表示装置台３１が支持部１５に着脱されたこと、つまり映像表示装置３０が基台１０に着脱されたことを示すランプ３４が設けられている。ランプ３４は映像表示装置３０の着脱に対応して点灯、消灯すればよく、着脱のどちらの場合に点灯、消灯してもよい。ランプ３４としては、ＬＥＤを好適に用いることができる。なお、ランプ３４の位置には特に限定はなく、例えば図２に示すように、回動部１３の上面に設けてもよい。このように、ランプ３４を設けることにより、映像表示装置３０と基台１０との接続を確実に容易に確認することができる。
【００３７】
また映像表示装置３０は、充電可能なバッテリー（不図示）を備えることが望ましい。これにより、映像表示装置３０を基台１０から取り外して他の場所に移動させても、電源コードを繋ぐ必要がなく使い勝手がよい。
【００３８】
図８は、映像表示装置３０の折りたたみ構造を説明する図である。図８に示すように、映像表示部３２の側面下端に、映像表示装置台３１に対して映像表示部３２を折りたたむことができるヒンジ部３５を設けてもよい。図８では映像表示部３２’が折りたたまれた状態である。これにより、映像表示装置３０が基台１０に格納される（図９参照）ので、映像表示装置３０を使用していないときは基台１０を作業台や食卓テーブルとして広く使うことができ、省スペース化が図れる。
【００３９】
また映像表示部３２が折りたたまれた際に、映像表示装置３０への電源供給が切断されることが望ましい。これには、例えば、映像表示部３２が折りたたまれたことを検知するセンサ（不図示）をヒンジ部３５等に設け、センサが検知した場合に電源供給を切断するように制御すればよい。これにより、映像表示装置３０の電源を切り忘れることがなくなり、切る手間も省け、省電力化に繋がる。
【００４０】
図９は、ＰＣを基台１０に格納した状態の映像表示システム５０の斜視図である。映像表示装置３０やキーボード４０が基台１０に格納されている。また、パソコン本体５１はノートＰＣのようにコンパクトに卓上テーブル内蔵タイプとなっている。またＨＤＤ、各種ボード類をも卓上テーブルに内臓させることにより、従来の卓上テーブル機能を損なわないようになっている。また、マウス部に関しては、これもノートＰＣと同様にタッチパッド２０２を採用している。卓上テーブルの凸凹をなくし、且つ、コード付き従来マウスの持つ欠点であるコードによる煩わしさを解消させたものである。また、マウスレスにすることにより使用しない際に収納しないといけないという煩わしさをも解消することができる。このように、ＰＣを使用しない場合は基台１０を作業台や食卓テーブルとして広く使うことができ、省スペース化が図れる。
【００４１】
図１０は、ＰＣを使用している状態の映像表示システム５０の斜視図である。ＰＣの使用時には映像表示装置３０を立てるとともに、キーボード４０をポップアップさせる。このように、ポップアップタイプのキーボード４０を採用することにより、キータッチが容易になる。
【産業上の利用可能性】
【００４２】
本発明の映像表示システムは、基台つまりテーブルと一体の映像表示装置を備え、テーブルをＰＣの台として使用したり、作業台や食卓テーブルとして使用したりするものである。
【図面の簡単な説明】
【００４３】
【図１】基台の概略斜視図である。
【図２】回動部受け部の平面図である。
【図３】回動部の正面図である。
【図４】突起部の構造を説明する支持部の正面透過図である。
【図５】回動部受け部のスライド構造を説明する図である。
【図６】（ａ）レール部の斜視図、（ｂ）レール部の側面図、（ｃ）レール部に回動部受け部を取り付けた場合の側面図である。
【図７】映像表示装置の正面図である。
【図８】映像表示装置の折りたたみ構造を説明する図である。
【図９】ＰＣを基台に格納した状態の映像表示システムの斜視図である。
【図１０】ＰＣを使用している状態の映像表示システムの斜視図である。
【図１１】基台上に設置された従来のデスクトップ型のＰＣの斜視図である。
【符号の説明】
【００４４】
１０    基台
１１    レール部
１２    回動部受け部
１３    回動部
１４    ベアリング
１５    支持部
１６    突起部
１９    ストッパー爪
２１    ガイド
２２、２３    電極部
２４    絶縁カバー
３０    映像表示装置
３１    映像表示装置台
３３    凹部
３４    ランプ
３５    ヒンジ部
４０    キーボード
５０    映像表示システム
【図１】
2006337517.tif 000003
【図２】
2006337517.tif 000004
【図３】
2006337517.tif 000005
【図４】
2006337517.tif 000006
【図５】
2006337517.tif 000007
【図６】
2006337517.tif 000008
【図７】
2006337517.tif 000009
【図８】
2006337517.tif 000010
【図９】
2006337517.tif 000011
【図１０】
2006337517.tif 000012
【図１１】
2006337517.tif 000013